(57)【要約】【課題】駐輪時においてスタンドを起立状態とした場合においては自動的にロック状態になされ、また自転車の利用に際してスタンドのロック状態を容易に解除することができる自転車用スタンドを提供すること。【解決手段】自転車の後輪軸付近に取り付けられたスタンド取り付け板５に対して、脚部材７が回動可能に支持されており、前記脚部材と一体に円弧状部材１１が形成されている。この円弧状部材１１の周縁部１１ａの一部には切欠き凹部１２が形成され、脚部材が起立状態にされたときにロックピン１３が切欠き凹部１２に嵌入して、脚部材７は自動的にロックされる。前記脚部材７に取り付けられたロック解除レバー８を踏み込むように操作することで、検索ワイヤ３２を介してロックピン１３が前記切欠き凹部から退避させるように動作し、スタンドのロック状態は解除される。【選択図】図２
2007196874.tif 000002
【特許請求の範囲】
【請求項１】
自転車の後輪軸付近に取り付けられたスタンド取り付け板に対して回動可能に支持され、自転車を自立した状態に保持させる起立状態、もしくは自転車の利用時において跳ね上げ状態になされる脚部材と、
前記スタンド取り付け板における脚部材の支持点を回転中心にして形成され、前記脚部材の回動に伴つて周縁部が回動されると共に、当該周縁部の一部に切欠き凹部が形成された円弧状部材と、
前記円弧状部材の周縁部に摺接し、前記脚部材が起立状態にされたとき、前記円弧状部材の周縁部に形成された切欠き凹部に嵌入することで、前記脚部材の回動を阻止するロックピンと、
前記脚部材に取り付けられると共に、当該脚部材の軸方向への踏み込み動作により前記切欠き凹部に嵌入したロックピンを、当該切欠き凹部から退避させるように駆動するロック解除レバーと、
を具備したことを特徴とする自転車用スタンド。
【請求項２】
前記ロック解除レバーの踏み込み動作による駆動力を、検索ワイヤを利用して伝達させることで、前記ロックピンの退避動作が行われるように構成したことを特徴とする請求項１に記載された自転車用スタンド。
【発明の詳細な説明】
【技術分野】
【０００１】
この発明は自転車用スタンドに関し、特に駐輪時においてスタンドを立てた場合（起立状態とした場合）においては、スタンドはその状態で自動的にロック状態になされ、また自転車の利用に際してはスタンドのロック状態を容易に解除することができる自転車用スタンドに関する。
【背景技術】
【０００２】
通常、自転車にはその駐輪時に自立させておくためのスタンドが具備されている。これらのスタンドとしては後輪軸の両端部付近において回動可能に取り付けられ、自転車の利用時において後部方向に跳ね上げることができるように構成された門形をなす両脚形スタンドや、後輪軸付近の一端側において回動可能に取り付けられるロッド状の片脚形スタンドが存在する。
【０００３】
そして、前記した両脚形あるいは片脚形スタンドのいずれにおいても、駐輪時においてスタンドを起立状態にロックさせるためのロック機構が具備されている。
この自転車用スタンドのロック機構における従来例として、次に示す特許文献１または２に示すものが提案されている。
【特許文献１】実開平６−８１８８２号公報
【特許文献２】実開平７−１１４９２号公報
【発明の開示】
【発明が解決しようとする課題】
【０００４】
前記特許文献１または２には、片脚形スタンドのロック機構が示されている。これは自転車の後輪軸付近に取り付けられたスタンド取り付け板に対して、一端が回動可能に取り付けられたロッド状の脚部材と、この脚部材の根元付近に回動可能に取り付けられたロックレバーが具備され、さらにロックレバーと前記取り付け板との間に、引っ張りバネがオーバセンターの状態で張架された構成にされている。
【０００５】
そして自転車を駐輪するには、跳ね上げ状態にあるスタンドの脚部材を起立状態にし、下向きにされたロックレバーの先端部を自転車の前側方向に回動させる操作を実行する。
これにより、前記ロックレバーの一部が前記スタンド取り付け板の一部に嵌まり込んで、スタンドの脚部材は起立状態でロックされる。
【０００６】
また、自転車を利用するに際して、前記脚部材のロック状態を解除するには、下向き状態の前記ロックレバーを自転車の後側方向に回動させることでスタンドのロック状態は外され、この状態でスタンドの脚部材を後方に跳ね上げることで、前記引っ張りバネの作用により脚部材は跳ね上げられた状態に保持される。
【０００７】
前記した構成による自転車用スタンドのロック装置によると、スタンドの脚部材をロックさせる場合、またそのロックを外す場合において、自転車の後輪軸付近に下向きに配置された前記ロックレバーの先端部を、自転車の前側方向または後側方向に回動させる操作が必要になる。
【０００８】
前記したロック操作およびその解除は、通常においては足先によって操作するようにされるが、ロックレバーの先端部が下向きに配置されていることで、その操作性が悪く、時には駐輪に際してスタンドのロック操作をしない状態にされる場合もある。
【０００９】
この発明は、前記した従来における自転車用スタンドのロック装置において、その操作性の問題点に着目してなされたものであり、駐輪時においてスタンドを立てた場合においては、スタンドはその状態で自動的にロック状態になされ、また解除レバーを下方に踏み込む単純な動作を実行することにより、容易にスタンドのロック状態を解除することができる自転車用スタンドを提供することを課題とするものである。
【課題を解決するための手段】
【００１０】
前記した課題を解決するためになされたこの発明にかかる自転車用スタンドは、自転車の後輪軸付近に取り付けられたスタンド取り付け板に対して回動可能に支持され、自転車を自立した状態に保持させる起立状態、もしくは自転車の利用時において跳ね上げ状態になされる脚部材と、前記スタンド取り付け板における脚部材の支持点を回転中心にして形成され、前記脚部材の回動に伴つて周縁部が回動されると共に、当該周縁部の一部に切欠き凹部が形成された円弧状部材と、前記円弧状部材の周縁部に摺接し、前記脚部材が起立状態にされたとき、前記円弧状部材の周縁部に形成された切欠き凹部に嵌入することで、前記脚部材の回動を阻止するロックピンと、前記脚部材に取り付けられると共に、当該脚部材の軸方向への踏み込み動作により前記切欠き凹部に嵌入したロックピンを、当該切欠き凹部から退避させるように駆動するロック解除レバーとを具備した点に特徴を有する。
【００１１】
この場合、前記ロック解除レバーの踏み込み動作による駆動力を、検索ワイヤを利用して伝達させることで、前記ロックピンの退避動作が行われるように構成されていることが望ましい。
【発明の効果】
【００１２】
前記した構成の自転車用スタンドによると、自転車を自立した状態に保持させるためにスタンドの脚部材を起立させた場合、前記脚部材の支持点を回転中心にして形成された円弧状部材の切欠き凹部に対してロックピンが嵌入されるように作用する。
これにより、スタンドの脚部材は自動的に起立状態にロックされ、自転車を自立状態に保持させることができる。
【００１３】
また、前記脚部材に取り付けられたロック解除レバーを前記脚部材の軸方向へ踏み込むように操作することで、前記切欠き凹部に嵌入したロックピンを、当該切欠き凹部から退避させることができ、これにより容易に前記脚部材のロック状態を解除させることができる。
【００１４】
したがって、前記ロック解除レバーを上から下方向に踏み込むというきわめて単純な動作により脚部材のロック状態を解除させることができ、ロック解除の操作性を容易にすることができる。
【発明を実施するための最良の形態】
【００１５】
以下、この発明にかかる自転車用スタンドについて、図に示す実施の形態に基づいて説明する。図１は自転車における後輪部分を示したものであり、後輪１はフレームを構成するチェーンステー２と、シートステー３との交差位置に備えられた後輪軸４によって、回転可能に取り付けられている。
【００１６】
そして、図１に示す自転車においては、前記後輪軸付近にスタンド取り付け板５が取り付けられ、この取り付け板５に配置された支持軸６を介してスタンドを構成する脚部材７の一端部が、前記取り付け板５に対して回動可能に取り付けられている。
なお、この図１に示す実施の形態は、脚部材７として１本のロッド状部材を用いた周知の片脚形スタンドの構成を示している。
【００１７】
片脚形スタンドを構成する前記脚部材７は実線で示したように起立状態にすることで、自転車を自立させた駐輪状態にすることができる。また自転車を利用するに際しては、前記脚部材７は破線で示したように、その軸方向がほぼ水平状態となる跳ね上げ状態にすることができる。
すなわち、前記脚部材７は前記起立状態と跳ね上げ状態との間で、ほぼ９０度の範囲で回動できるように前記取り付け板５に取り付けられている。
なお、前記スタンドにおいては、後で詳細に説明するがこのスタンドを構成する前記脚部材７の先端部側にロック解除レバー８が脚部材の軸方向に直交する状態で取り付けられている。
【００１８】
図２は、前記した自転車用スタンドのより詳細な構成を拡大して示したものであり、すでに説明した図１に示された各部と同一部分は、同一符号で示している。
前記した脚部材７には、その支持軸６を介した脚部材７とは反対側に、円弧状部材１１が前記脚部材７と一体に形成されている。
そして、前記円弧状部材１１は、脚部材７の支持点である前記支持軸６を回転中心にして、その周縁部１１ａが同一の円軌跡をもって回動されるように構成されている。
【００１９】
図３は、図２に示す矢印Ａ方向から主に円弧状部材１１を視た状態を示しており、図４は、前記円弧状部材１１の単体を図２に示した場合と同方向から視た状態で示している。そして、すでに説明した図１および図２に示された各部と同一部分は、同一符号で示している。
【００２０】
図３および図４に示すように、前記円弧状部材１１の周縁部１１ａの一部には、切欠き凹部１２が形成されている。そして、スタンドを構成する前記脚部材７が起立状態にされることにより、円弧状部材１１は図４に示す矢印Ｂ方向に回動され、前記切欠き凹部１２に対して、ロックピン１３が嵌入されるように構成されている。
すなわち、前記ロックピン１３が切欠き凹部１２に嵌入されることで、前記脚部材７は起立状態でロックされるように構成されている。
【００２１】
前記ロックピン１３は図３に詳しく示されているように、前記したスタンド取り付け板５の上側辺において折り曲げ形成された傾斜面において、軸１５により中央部が取り付けられ、前記傾斜面上において回動できるように構成されている。
そして、ロックピン１３の一方の端が前記した円弧状部材１１の切欠き凹部１２に嵌入可能になされると共に、ロックピン１３の他方の端は、スライド軸１６に形成されたガイド孔１７内に収容されている。
【００２２】
前記スライド軸１６は、図２および図３に示されているように、前記したスタンド取り付け板５の上側辺において折り曲げ形成された傾斜面に取り付けられた一対の支持部材２１，２２によって軸方向に摺動可能に支持されている。
そして、スライド軸１６のほぼ中央部に取り付けられた係止片２３と、前記一方の支持部材２２との間には、スライド軸１６の軸方向に沿ってコイルバネ２４が圧縮状態で装着されており、このコイルバネ２４の伸長作用により、前記スライド軸１６は、図３に示した矢印Ｃ方向に付勢されるように構成されている。
【００２３】
したがって、前記したロックピン１３における前記円弧状部材１１に対峙する一方の端部は、図４に示したように円弧状部材１１が矢印Ｂ方向に回動されるに際し、前記付勢力を受けて、その周縁部１１ａに摺接しつつ、前記切欠き凹部１２に嵌入されるように作用する。
これにより、スタンドを構成する前記脚部材７は、先に説明したとおり起立状態でロックされる。
【００２４】
一方、図２に示すようにスタンドを構成する前記脚部材７の先端部側には、ロック解除レバー８が脚部材７の軸方向に直交する状態で取り付けられている。
このロック解除レバー８は、一例として脚部材７にねじ込まれたボルト３１を介して回動可能となるように一端部が取り付けられており、前記レバー８は、常時においては図２に示されたように脚部材７が起立状態になされた状態で、ほぼ水平方向に向くように設定されている。
【００２５】
そして、前記ロック解除レバー８における前記ボルト３１に近い位置において、検索ワイヤ３２の一端が接続されており、この検索ワイヤ３２の他端は前記スライド軸１６の端部に接続されている。なお、前記検索ワイヤ３２は可撓性の外皮管３３内に収容されて、検索力を伝達するワイヤレリーズを構成している。
したがって、脚部材７を起立状態にして前記したとおりスタンドをロックした状態において、前記ロック解除レバー８を例えば足先で踏み込む操作をすることで、前記検索ワイヤ３２を介してスタンドのロック状態を解除することができる。
【００２６】
すなわち、前記ロック解除レバー８を例えば足先で踏み込む操作をすることで、図３に示されたように検索ワイヤ３２を介して前記スライド軸１６は、矢印Ｃとは反対側に牽引される。この動作により前記したロックピン１３は左回転する。
これによりロックピン１３は、図４に破線で示したように円弧状部材１１の周縁部１１ａに形成された切欠き凹部１２から退避して、スタンドはロック解除状態となる。
【００２７】
なお、前記したスタンド取り付け板５に樹立された係合ピン３４と、脚部材７に樹立された係合ピン３５との間にはコイルバネ３６が張架されており、このコイルバネ３６の収縮作用により、脚部材７は跳ね上げ状態になされるように付勢されている。
したがって、前記したようにスタンドのロック状態が解除された場合には、前記コイルバネ３６の作用により、スタンド脚部材７は跳ね上げ状態になされる。
【００２８】
以上説明した実施の形態によると、スタンドを構成する脚部材を起立状態にすることで、自動的にスタンドをロック状態にすることができ、また脚部材に取り付けられたロック解除レバーを前記脚部材の軸方向へ踏み込む簡単な操作を行なうことで、スタンドのロック状態を解除することが可能である。
したがって、この発明によると先に発明の効果の欄に記載したとおり、スタンドのロック解除の操作性を容易にすることができる。
【００２９】
なお、以上説明した実施の形態においては、脚部材として１本のロッド状部材を用いた片脚形スタンドを例示しているが、この発明は門形をなす両脚形スタンドにも適用することができる。
また、前記したロック解除レバーは、踏み込み動作をすることにより回動されるように構成されているが、このロック解除レバーは例えばＬ字形に形成され、踏み込み動作によりスタンドを構成する脚部材の軸方向に沿ってスライドされるように構成されていても良い。
【図面の簡単な説明】
【００３０】
【図１】この発明にかかるスタンドを装着した例を示す後輪部分の正面図である。
【図２】前記スタンド部分のより詳細な構成を拡大して示した正面図である。
【図３】図２に示す矢印Ａ方向から視た主に円弧状部材の上面図である。
【図４】前記円弧状部材の単体を示した正面図である。
【符号の説明】
【００３１】
４      後輪軸
５      スタンド取り付け板
６      支持軸
７      脚部材
８      ロック解除レバー
１１    円弧状部材
１１ａ  周縁部
１２    切欠き凹部
１３    ロックピン
１６    スライド軸
３２    検索ワイヤ
【図１】
2007196874.tif 000003
【図２】
2007196874.tif 000004
【図３】
2007196874.tif 000005
【図４】
2007196874.tif 000006
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
自転車の後輪軸付近に取り付けられたスタンド取り付け板に対して回動可能に支持され、自転車を自立した状態に保持させる起立状態、もしくは自転車の利用時において跳ね上げ状態になされる脚部材と、
前記スタンド取り付け板における脚部材の支持点を回転中心にして形成され、前記脚部材の回動に伴って周縁部が回動されると共に、当該周縁部の一部に切欠き凹部が形成された円弧状部材と、
前記円弧状部材の周縁部に摺接し、前記脚部材が起立状態にされたとき、前記円弧状部材の周縁部に形成された切欠き凹部に嵌入することで、前記脚部材の回動を阻止するロックピンと、
前記脚部材の先端部側に回動可能に、一端が取り付けられたロック解除レバーと、
前記ロック解除レバーに一端が接続されると共に、前記ロックピンを切欠き凹部から退避させるスライド軸に他端が接続されたワイヤとを具備し、
前記ロック解除レバーを踏み込みことにより、ロック解除レバーの踏み込み動作による駆動力を、ワイヤを利用してスライド軸に伝達させることで、前記ロックピンの退避動作が行われるように構成したことを特徴とする自転車用スタンド。
【手続補正２】
【補正対象書類名】明細書
【補正対象項目名】００１０
【補正方法】変更
【補正の内容】
【００１０】
前記した課題を解決するためになされたこの発明にかかる自転車用スタンドは、自転車の後輪軸付近に取り付けられたスタンド取り付け板に対して回動可能に支持され、自転車を自立した状態に保持させる起立状態、もしくは自転車の利用時において跳ね上げ状態になされる脚部材と、前記スタンド取り付け板における脚部材の支持点を回転中心にして形成され、前記脚部材の回動に伴って周縁部が回動されると共に、当該周縁部の一部に切欠き凹部が形成された円弧状部材と、  前記円弧状部材の周縁部に摺接し、前記脚部材が起立状態にされたとき、前記円弧状部材の周縁部に形成された切欠き凹部に嵌入することで、前記脚部材の回動を阻止するロックピンと、前記脚部材の先端部側に回動可能に、一端が取り付けられたロック解除レバーと、前記ロック解除レバーに一端が接続されると共に、前記ロックピンを切欠き凹部から退避させるスライド軸に他端が接続されたワイヤとを具備し、前記ロック解除レバーを踏み込みことにより、ロック解除レバーの踏み込み動作による駆動力を、ワイヤを利用してスライド軸に伝達させることで、前記ロックピンの退避動作が行われるように構成したことを特徴としている。
【手続補正３】
【補正対象書類名】明細書
【補正対象項目名】００１１
【補正方法】削除
【補正の内容】
【手続補正４】
【補正対象書類名】明細書
【補正対象項目名】００２５
【補正方法】変更
【補正の内容】
【００２５】
そして、前記ロック解除レバー８における前記ボルト３１に近い位置において、ワイヤ３２の一端が接続されており、このワイヤ３２の他端は前記スライド軸１６の端部に接続されている。なお、前記ワイヤ３２は可撓性の外皮管３３内に収容されて、力を伝達するワイヤレリーズを構成している。
したがって、脚部材７を起立状態にして前記したとおりスタンドをロックした状態において、前記ロック解除レバー８を例えば足先で踏み込む操作をすることで、前記ワイヤ３２を介してスタンドのロック状態を解除することができる。
【手続補正５】
【補正対象書類名】明細書
【補正対象項目名】００２６
【補正方法】変更
【補正の内容】
【００２６】
すなわち、前記ロック解除レバー８を例えば足先で踏み込む操作をすることで、図３に示されたようにワイヤ３２を介して前記スライド軸１６は、矢印Ｃとは反対側に牽引される。この動作により前記したロックピン１３は左回転する。
これによりロックピン１３は、図４に破線で示したように円弧状部材１１の周縁部１１ａに形成された切欠き凹部１２から退避して、スタンドはロック解除状態となる。
【手続補正６】
【補正対象書類名】明細書
【補正対象項目名】００３１
【補正方法】変更
【補正の内容】
【００３１】
４      後輪軸
５      スタンド取り付け板
６      支持軸
７      脚部材
８      ロック解除レバー
１１    円弧状部材
１１ａ  周縁部
１２    切欠き凹部
１３    ロックピン
１６    スライド軸
３２    ワイヤ